(57)【要約】【課題】従来のフィルターボックスにおいて単層フィルター材料のために生じるチャンネリングを効果的に防止して濾過効果を向上し、且つ汚物をフィルターボックス内に誘導でき、フィルターボックスを取外す際に汚物が回流し汚染を引き起こすことを回避できる、フィルターボックスの提供。【解決手段】本発明のフィルターボックスは、ケース及び前記ケース内に設置されるフィルター材より構成され、そのうち、前記ケースは進水誘導通路を備え、前記フィルター材は前記進水誘導通路の後に配置され濾過を行い、且つ、少なくとも２つの前記フィルター材を含み、相隣する２つのフィルター材の間に緩衝空間が設けられることを特徴とする。【選択図】図５
2007301547.tif 000002
【特許請求の範囲】
【請求項１】
ケース及び前記ケース内に設置されるフィルター材を含み、そのうち、前記ケースは進水誘導通路を備え、前記フィルター材は前記進水誘導通路の後に位置し濾過を行い、且つ、少なくとも２つの前記フィルター材を含み、相隣する２つのフィルター材の間に緩衝空間が設けられることを特徴とする、フィルターボックス。
【請求項２】
ケース及び前記ケース内に設置されるフィルター材を含み、そのうち、前記ケースは進水誘導通路を備え、前記フィルター材は前記進水誘導通路の後に位置し濾過を行い、前記進水誘導通路の進水箇所に１枚或いは１枚以上の導水板が設置され、前記誘導版の底部が前記フィルター材に接近して設置されることを特徴とする、フィルターボックス。
【請求項３】
前記進水誘導通路の進水箇所に導水板が設置され、前記導水板の底部が全て前記フィルター材に接近し斜めに設置されることを特徴とする、請求項１に記載のフィルターボックス。
【請求項４】
前記導水板が外から内へ傾斜した羽根板状を呈し、且つ各導水板の底部が全てフィルター材に接近していることを特徴とする、請求項２または３に記載のフィルターボックス。
【請求項５】
少なくとも２つのフィルター材が重なり合って組成され、相隣するフィルター材の間に緩衝空間が設けられることを特徴とする、請求項２に記載のフィルターボックス。
【請求項６】
前記進水誘導通路から出水誘導通路の方向に沿って、前記フィルター材が徐々に細密になることを特徴とする、請求項１または５に記載のフィルターボックス。
【請求項７】
前記フィルター材が凹凸或いは波形の形状を呈することを特徴とする、請求項１または５に記載のフィルターボックス。
【請求項８】
相隣するフィルター材の間に粒状フィルターを設置することを特徴とする、請求項１または５に記載のフィルターボックス。
【請求項９】
出水誘導通路近くのフィルター材と前記ケースの間に粒状フィルターを設置することを特徴とする、請求項１または５に記載のフィルターボックス。
【請求項１０】
前記粒状フィルターが吸着性フィルター材或いはイオン交換性フィルター材であることを特徴とする、請求項８または９に記載のフィルターボックス。
【請求項１１】
前記フィルターボックスが２つ或いはそれ以上のフィルターユニットを含み、前記進水誘導通路と出水誘導通路がそれぞれ各フィルターユニット上に設置され、各フィルターユニットは半円形状或いは多角形状を成し、組み立て後に中空の円柱形状或いは中空のキューブ形状を形成することを特徴とする、請求項１または２に記載のフィルターボックス。
【発明の詳細な説明】
【技術分野】
【０００１】
本発明はフィルターボックスに関し、特にフィルター材料を通して水に対して濾過を行うフィルターボックスに関する。
【背景技術】
【０００２】
人間の生活水準が向上するにつれて、家庭或いは公共場所の装飾も次第に重視されてきた。水槽もそのうちの重要な装飾品の１つである。図１７から図１９に示すように、従来の水槽或いはスクリーニング装置用フィルターボックス９０の構造において、フィルターボックス９０は一般に単層片状のフィルター綿９１を取り付けているのみであり、且つ、この単層片状フィルター綿９１は濾過効果を達成するため一般的に非常に厚い片状フィルター綿９１が用いられ、これはその初期には迅速に水中の汚物を濾過できるが、片状フィルター綿９１の厚さと通過孔が小さすぎ詰まりやすいために、チャンネリング現象が生じ、図１９に矢印で示すように、理想的な濾過効果が得られず、且つフィルターボックス９０を水槽或いはスクリーニング装置から取り出す際に、汚物が水槽或いはスクリーニング装置内に回流してしまう。
【発明の開示】
【発明が解決しようとする課題】
【０００３】
従って、上述の欠点を克服するフィルターボックスを提供することが、現在解決が待たれる技術的課題である。
【０００４】
本発明の目的は、従来のフィルターボックスにおいて単層フィルター材料のために生じるチャンネリングを効果的に防止して濾過効果を向上し、且つ汚物をフィルターボックス内に誘導でき、更にフィルターボックスを水槽或いはスクリーニング装置容器から取外す際に汚物が水槽或いはスクリーニング装置容器内に回流し汚染を引き起こすことを回避できる、フィルターボックスを提供することにある。
【課題を解決するための手段】
【０００５】
本発明の目的は次のように実現される。本発明のフィルターボックスは、ケース及び前記ケース内に設置されるフィルター材より構成され、そのうち、前記ケースは進水誘導通路を備え、前記フィルター材は前記進水誘導通路の後に配置され濾過を行い、且つ、少なくとも２つの前記フィルター材を含み、相隣する２つのフィルター材の間に緩衝空間が設けられる。
【０００６】
本発明の別のフィルターボックスは、ケース及び前記ケース内に設置されるフィルター材を含み、そのうち前記ケースは進水誘導通路を備え、前記フィルター材は前記進水誘導通路の後に配置され濾過を行い、前記進水誘導通路の進水箇所には１枚以上の導水板が設置され、前記導水板の底部は全て前記フィルター材近くに設置される。
【０００７】
前記フィルターボックスは、前記進水誘導通路の進水箇所に設置された導水板を含み、前記導水板の底部は全て前記フィルター材近くに斜めに設置される。
【０００８】
上述の導水板は外から内へ傾斜した羽根板状を呈し、それぞれの導水板の底部は全てフィルター材に接近している。
【０００９】
少なくとも２つのフィルター材が重なり合って組成され、相隣するフィルター材の間には緩衝空間がある。
【００１０】
前記進水誘導通路から出水誘導通路方向に沿って、前記フィルター材は次第に細密になっている。
【００１１】
前記フィルター材は凹凸或いは波形の形状とする。
【００１２】
相隣するフィルター材の間に粒状フィルター物を設置してもよい。
【００１３】
出水誘導通路近くのフィルター材と前記ケースの間に粒状フィルター物を設置してもよい。
【００１４】
前記粒状フィルターは吸着性フィルター材或いはイオン交換性フィルター材とする。
【００１５】
前記フィルターボックスは２つ或いはそれ以上のフィルターユニットを含み、前記進水誘導通路と出水誘導通路は各フィルターユニット上にそれぞれ設置され、各フィルターユニットは半円形状或いは多角形状をなし、組み立て後は中空の円柱形状或いは中空のキューブ形状を形成する。
【００１６】
従来技術と比較して、本発明のフィルターボックスの構造は実用的であり、且つ、多重のフィルター材を採用した濾過方法で段階的濾過を提供して濾過面積を増加し、また２つのフィルター材間の緩衝空間を利用して水圧の平衡をとることができ、詰まりとチャンネリングを防止できる。このため、より精密な段階的濾過を行うことができ、単層フィルター材での濾過より優れた濾過効果が得られる。更に、導水板を設置することで、単層フィルター材或いは多層フィルター材のどちらのの設置条件にもかかわらず、フィルターボックスを水面から取り出す際に、汚物は全て導水板内に流入し、且つフィルター材による濾過を経て流出するため、汚物の水槽或いはスクリーニング装置容器内への回流を効果的に防止することができる。
【発明を実施するための最良の形態】
【００１７】
本発明の構造、装置及びその特徴について更に認識と理解を促すため、その実施例を挙げ且つ図式を配して以下で詳細に説明する。
【００１８】
図１から図３に示すように、本発明のフィルターボックス１０は主にスクリーニング装置１００或いは水槽上に用いられ、以下スクリーニング装置１００を例にして説明を行う。
【００１９】
前記スクリーニング装置１００は箱体１０１を含み、前記箱体１０１は収容空間を備え、例えば水槽の収容空間に入れられた水などのように、前記収容空間は導管１０２を介して外部の水と連通される。前記収容空間の出水口に前記フィルターボックス１０が設置され、前記収容空間から流出する水に対して濾過処理を行う。本実施例において、前記フィルターボックス１０はケース１１を含み、前記ケース１１の相対する両側には嵌入部１１１が設置され、収容空間の出水口の相対する両側の凹槽１０３に前記嵌入部１１１が嵌め込まれ、前記フィルターボックス１０が箱体１０１上に固定される。当然、異なるフィルターボックスの形状構造に基づき、その他固定方法で固定することもできる。前記フィルターボックス１０の前後両側壁面上には導水通路が設けられ、これらにより汚水を流入させ、濾過後の水を流出させることができる。具体的には、前記フィルターボックス１０のケース１１前面に前記収容空間の出水口に対応する進水誘導通路が設けられ、収容空間内の汚水を進入させることができ、前記フィルターボックス１０のケース１１背面上に縦横に配列された出水誘導通路１１２が設けられ、濾過後のきれいな水を流出させることができる。前記フィルターボックス１０内にフィルター材が設置され、水に対して循環的濾過を行うが、これについては以下で詳細に説明する。
【００２０】
図４から図６に別のフィルターボックス２０を示す。前記フィルターボックス２０のケース２１前後壁面上に誘導通路が設けられ、汚水の流入と濾過後の水の流出に用いられる。具体的には、前記フィルターボックス２０のケース２１の前壁面上に前記収容空間の出水口に対応する進水誘導通路２１１が設けられ、収容空間内の汚水を流入させることができる。前記フィルターボックス２０のケース２１後ろ壁面上に縦横に配列された出水誘導通路２１２が設けられ、濾過後のきれいな水を流出させることができる。
【００２１】
前記フィルターボックス内部の前記進水誘導通路２１１と前記出水誘導通路２１２の間には平行に間隔をあけて配置されたフィルター材２２、２３が数枚密封して設置され、前記フィルター材はフィルター綿等の片状フィルター材とする。本実施例では２枚であるが、当然さらに多く設置することもでき、具体的情況(汚染程度等)に基づき、複数の前記フィルター材２２、２３を設置することで濾過効果を向上し、且つチャンネリングを防止することができる(図６参照)。相隣する２つのフィルター材２２、２３の間には緩衝空間２４を設け、外部の汚染された水(例えば水槽の中の水)がフィルターボックスの第１層フィルター材２２を経て濾過された後、相隣する２つのフィルター材２２、２３間の緩衝空間２４に進入した際に水圧が平均化され、その後更に第２層のフィルター材２３に進入して濾過され、最終的に出水誘導通路２１２から流出される。このようにして、濾過が必要な水は多重のフィルター材を通して濾過された後、フィルターボックスから流出され、再度循環する。
【００２２】
濾過効果を強化するため、水流方向に従って、出水誘導通路２１２により近いフィルター材２３ほどより細密にし、濾過効果を向上させる。異なる必要性に基づき、前記フィルター材２２’、２３’は凹凸或いは波形状(図７参照)とすることができ、異なる汚水濾過の必要性に対応させる。濾過効果を増強するため、相隣するフィルター材２２’、２３’間の緩衝空間２４’に粒状のフィルター物２５を設置することができ、また前記出水誘導通路２１２近くのフィルター材２３’(即ち後方のフィルター材)とケース２１の間にも粒状フィルター２６を設置して、濾過効果をより高めることもできる。前記粒状フィルター２６が出水誘導通路２１２から流出するのを防止するため、前記出水誘導通路２１２をフィルター綿２７で塞ぐと、水流のみを通過させ、粒状フィルター２６の流出を防止することができる。上述の粒状フィルター２５、２６は吸着性フィルター材或いはイオン交換性フィルター材とすることができる。
【００２３】
図８から図１０にさらに別のフィルターボックス３０を示す。このフィルターボックス３０は２つのフィルター材３２、３３を含み、前記２つのフィルター材３２、３３及びその中間の緩衝空間３４は、図４から図６のフィルター材２２、２３及び緩衝空間２４の形状、構造と同じであるため、ここでは説明を省略する。前記フィルターボックス３０のケース３１の進水誘導通路３１１(即ち進水口)箇所には若干の水平且つ平行間隔で設置された導水板３５が固定され、前記導水板３５の相対する両端は、前記ケース３１上に設置された２つの平行な接続体３５１上に接続されて固定される。前記ケース３１の出水誘導通路３１２と図４から図６の出水誘導通路２１２の形状、構造は同じであるため、ここでは説明を省略する。
【００２４】
図９、図１０、図１２並びに図１３に示すように、各導水板３５の底部３５２はフィルター材３２に向かって斜めに設置される。優先選択方法として、全ての導水板３５は外から内へ傾斜した羽根板状を呈し、各導水板３５の底部３５２は全てフィルター材３２に向かって接近させる。濾過時には、前記汚水がフィルターボックス３０に沿って流れる際導水板３５に当たり、導水板３５の抵抗力で水がフィルターボックス３０の中に誘導される。その濾過原理は図４から図６のフィルターボックス２０と同じであるため、ここでは説明を省略する。濾過効果を増強するため、濾過される水流の方向上で出水誘導通路３１２に近いフィルター材ほど細密にして、濾過効果を向上させる。
【００２５】
図１１は図７と同じく、異なる必要性に基づき、前記フィルター材３２’、３３’は凹凸或いは波形状にし、異なる汚水濾過の必要性に適応させることができる。濾過効果を増強するため、相隣するフィルター材３２’、３３’の間に粒状フィルター３６を設置することができ、また前記出水誘導通路３１２のフィルター材３３’(即ち後方のフィルター材)とケース３１の間にも粒状フィルター３７を設置して、濾過効果をより高めることもできる。前記粒状フィルター３７が出水誘導通路３１２から流出するのを防止するため、前記出水誘導通路３１２をフィルター綿３８で塞ぐと、水流のみを通過させ、粒状フィルター３７の流出を防止することができる。上述の粒状フィルター３６、３７は吸着性フィルター材或いはイオン交換性フィルター材とすることができる。
【００２６】
図１４にさらに別のフィルターボックス４０を示す。このフィルターボックス４０のケース４１は中空の四角形を呈しているが、当然必要に応じ多角形にすることもできる。その外側の進水誘導通路４１１箇所に導水板４５が設置しされ、前記導水板４５は図８から図１０の導水板３５の形状、構造と同じであるため、ここでは説明を省略する。内側には出水誘導通路４１２が設けられ、前記外側と内側の間、即ち進水誘導通路４１１と出水誘導通路４１２の間に間隔をあけて平行に配列された凹凸形状を呈する２つのフィルター材４２、４３が密封して設置される。前記２つのフィルター材４２、４３の作業原理は図４から図６の２つのフィルター材２２、２３と同じであるため、ここでは説明を省略する。水は濾過された後、出水誘導通路４１２から流出される。濾過効果を増強するため、前記フィルター材４２、４３のうち、水流方向に従って、出水誘導通路４１２により近いフィルター材ほど細密にし、濾過効果を高めることができる。このほか、濾過効果を増強するため、相隣するフィルター材４２、４３の間に粒状フィルター４６を設置することができ、また前記出水誘導通路４１２近くのフィルター材４３(即ち後方のフィルター材)とケース４１の間にも粒状フィルターを設置して、濾過効果をより高めることもできる。前記粒状フィルターは吸着性フィルター材或いはイオン交換性フィルター材とすることができる(図７或いは図１１参照)。
【００２７】
図１５と図１６にさらに別のフィルターボックス５０を示す。このフィルターボックス５０は２つの半円形の第１フィルターユニット５０Aと第２フィルターユニット５０Bを含む。前記第１フィルターユニット５０Aと第２フィルターユニット５０Bは全体で円柱形状を構成し、その外側に２つの半円リング形の導水板５５が設置され、各導水板５５の底部５５１はフィルター材５２に向かって接近し斜めに設置される。濾過が必要な水は導水板５５に沿って進水誘導通路５１１から第１フィルターユニット５０Aと第２フィルターユニット５０Bに進入する。前記第１フィルターユニット５０Aは３枚の平行に間隔をあけて設置されたフィルター材５２、５３、５４を含み、前記第２フィルターユニット５０Bは３枚の平行に間隔をあけて設置されたフィルター材５７、５８、５９を含む。そのうち、前記３枚のフィルター材５２、５３、５４と前記３枚のフィルター材５７、５８、５９はそれぞれ一体をなす。濾過が必要な水は順序に従って前記３枚のフィルター材５２、５３、５４或いは３枚のフィルター材５７、５８、５９を通過し、濾過された後の水は内側ケース５１上に設置された出水誘導通路５１２から流出され、その後フィルターボックス５０内の中空部位から流出される。前記第１フィルターユニット５０Aと第２フィルターユニット５０Bの濾過原理は図４から図６のフィルターボックス２０と同じであるため、ここでは説明を省略する。このほか、濾過効果を増強するため、相隣するフィルター材５２、５３、５４、５７、５８、５９の間に粒状フィルターを設置して、濾過効果をより高めることができる。前記粒状フィルターは吸着性フィルター材或いはイオン交換性フィルター材とすることができる(図７或いは図１１参照)。
【００２８】
以上の実施例を通して本発明について開示してきたが、本発明の範囲はこれらに限られるものではなく、本発明の構想から逸脱しない条件下で、以上の各部材或いは構造は、関連技術分野の人員が知る類似或いは同等の部材または構造で代替することができる。
【００２９】
上述のように、本発明のフィルターボックスは、水槽或いはスクリーニング装置容器からフィルターボックスを取り出す際に汚物が水槽或いはスクリーニング装置容器内に回流して汚染を引き起こすことを確実に防ぐ効果を達成することができ、実用性と進歩性を備えている。また、本発明の構造はその特許出願を提出する以前に刊行物に掲載されたり、公共で使用されたことはなく、従って、本発明の構造は特許要件に符合するため、法に基づき特許出願を提出するものである。
【図面の簡単な説明】
【００３０】
【図１】本発明のフィルターボックスを含むスクリーニング装置の立体分解図である。
【図２】図１のスクリーニング装置の上面図である。
【図３】図１のスクリーニング装置の側面図である。
【図４】本発明のフィルターボックスの実施例２の立体斜視図である。
【図５】図４のフィルターボックスの断面図である。
【図６】図５のフィルターボックスが出水する時の汚水の流れを示す断面図である。
【図７】図５のフィルターボックスの改良の側面断面図である。
【図８】本発明のフィルターボックスの実施例３の立体斜視図である。
【図９】図８のフィルターボックスの側面図である。
【図１０】図８のフィルターボックスの断面図である。
【図１１】図８のフィルターボックスの改良の側面断面図である。
【図１２】図８の導水板の立体斜視図である。
【図１３】図１２の導水板の側面図である。
【図１４】本発明のフィルターボックスの実施例３の断面図である。
【図１５】本発明のフィルターボックスの実施例４の立体倒置図である。
【図１６】図１５のフィルターボックスの上面図である。
【図１７】周知のフィルターボックスの立体斜視図である。
【図１８】図１７中のフィルターボックスの断面図である。
【図１９】図１８中中のフィルターボックスが出水する時の水の流れを示す断面図である。
【符号の説明】
【００３１】
１０、２０、３０、４０、５０    フィルターボックス
１１、２１、３１、４１、５１    ケース                
２２、２３、２２’、２３’、３２、３３、３２’、３３’、４２、４３、５２、５３、５４、５７、５８、５９    フィルター材
２４、３４    緩衝空間
２５、２６、３６、３７、４６    粒状フィルター
２７、３８    フィルター綿
３５、４５、５５    導水板
１００    スクリーニング装置
１０１    箱体                  
１０２    導管
１０３    凹槽  
１１１    嵌入部
１１２、２１２、３１２、４１２、５１２    出水誘導通路
２１１、３１１、４１１、５１１    進水誘導通路
３５１    接続部                
３５２、５５１    底部
５０A    第１フィルターユニット
５０B    第２フィルターユニット  
【図１】
2007301547.tif 000003
【図２】
2007301547.tif 000004
【図３】
2007301547.tif 000005
【図４】
2007301547.tif 000006
【図５】
2007301547.tif 000007
【図６】
2007301547.tif 000008
【図７】
2007301547.tif 000009
【図８】
2007301547.tif 000010
【図９】
2007301547.tif 000011
【図１０】
2007301547.tif 000012
【図１１】
2007301547.tif 000013
【図１２】
2007301547.tif 000014
【図１３】
2007301547.tif 000015
【図１４】
2007301547.tif 000016
【図１５】
2007301547.tif 000017
【図１６】
2007301547.tif 000018
【図１７】
2007301547.tif 000019
【図１８】
2007301547.tif 000020
【図１９】
2007301547.tif 000021